(57)【特許請求の範囲】
【請求項１】
シリンダ錠（１）と平鍵（２）を備え、シリンダ錠（１）がステータ（４）内で回転可能なロータ（３）を備え、このロータが鍵通路（６）と、ロータ（３）の長手軸線（７）に対して実質的に直角にかつ鍵通路（６）の幅広側面（８，９）に対して平行に配置された、タンブラ（１０）を有するガイド（１１）とを備え、このタンブラ（１０）が連行体（１２）を備え、この連行体が鍵通路（６）内に達し、平鍵（２）が各々の幅広側面（１３，１４）に、少なくとも一つの案内溝（１５，１６）を備え、鍵（２）が鍵通路（６）に挿入されたときに、タンブラ（１０）の連行体（１２）が案内溝に係合し、平鍵（２）と少なくとも１個のタンブラ（１０）が磁気要素（４４，４５，４６）を備えている、鎖錠装置において、鍵（２）の一方の幅広側面（１３，１４）の案内溝（１５，１６）が、溝の幅が広がった少なくとも一つの範囲を有し、鍵（２）が鍵通路（６）に完全に挿入されたときに、少なくとも１個の連行体（１２′，１２″）が広がった溝（１５，１６）の範囲（５１）に配置され、この連行体（１２′，１２″）と溝（１５，１６）の両側壁（２２，２３，２４，２５）との間に、中間空間（４７，４８）が設けられ、鍵先（２１）に設けられた各々１個の永久磁石（４４，４５）と、タンブラ（１８）に設けられ永久磁石（４４，４５）と協働する各々１個の磁気的な要素（４６）が、付加的な位置決め要素（２７）を形成し、この付加的な位置決め要素によって、それに所属するタンブラ（１７，１８）が解錠位置に固定され、この解錠位置でタンブラ（１８）の連行体（１２″）が溝（４８）の側壁（２２，２３）に対して接触しないで位置決めされ、その他の連行体（１２）が溝（１５，１６）の側面（２２，２３，２４，２５）に接触し、溝（１５，１６）の位置決め範囲（４９）によって残りの連行体（１２）とそれに所属するタンブラ（１０）が解錠位置に固定されていることを特徴とする鎖錠装置。
【請求項２】
少なくとも１個の第２のタンブラ（１４）が付加的な第２の位置決め要素（２６）を備え、付加的な第２の位置決め要素（２６）がタンブラ（１７）の背面（１９）に設けたコーディング部（２８）と、二つの部分かなるロック要素（２９）とからなり、このロック要素（２９）がタンブラ（１７）の背面（１９）とステータ（４）の間に配置され、ロータ（３）の長手軸線（７）に対してほぼ直角に中心軸線（３２）に沿って摺動可能であることを特徴とする請求項１記載のシリンダ錠を備えた鎖錠装置。
【請求項３】
付加的な第２のロック要素（２９）の両部分（３０，３１）の間に分離面（３３）設けられ、ロック要素（２９）の第１の部分（３０）がステータ（４）の穴（３４）内に摺動可能に支承され、第２の部分（３１）がロータ（３）の穴（３５）内に摺動可能に支承され、この両穴（３４，３５）の中心軸線（３２）が錠（１）のロック位置で重なり、ロック要素（２９）の第２の部分（３１）の、ロータ（３）の長手軸線（７）に向いた端部（３６）が、所属のタンブラ（１７）の背面（１９）に接触し、タンブラ（１７）の背面（１９）のコーディング部（２８）が、付加的な第２の位置決め要素（２６）のロック位置および開放位置のための複数の付加的なコーディング部（３８，３９）を有する位置決め面（３７）からなり、位置決め要素（２６）の第２の部分（３１）の端部（３６）がそれに所属する各々のタンブラ（１７）の背面（１９）に設けたコーディング部（２８）に正しく位置決めされるときに、位置決め要素（２６）の第１と第２の部分（３０，３１）の間の分離面（３３）が、ロータ（３）とステータ（４）の間の剪断線（４０）に重なっていることを特徴とする請求項２記載のシリンダ錠を備えた鎖錠装置。
【請求項４】
タンブラ（１７）の背面（１９）に設けた位置決め面（３７）の付加的なコーディング部が、凹部（３９）または頂部（３８）あるいはこの凹部（３９）と頂部（３８）との組み合わせからなっていることを特徴とする請求項３記載のシリンダ錠を備えた鎖錠装置。
【請求項５】
タンブラ（１７）の位置決め面（３７）に複数の穴（４１）が設けられ、この穴（４１）が付加的なロック要素（２９）の第２の部分（３１）のためのコーディング部を形成していることを特徴とする請求項３記載のシリンダ錠を備えた鎖錠装置。
【請求項６】
鍵先（２１）の各々の幅広側面（１３，１４）に少なくとも一つの案内溝（１５，１６）を備え、鍵（２）を鍵通路（６）に挿入したときに、錠（１）のタンブラ（１０）の連行体（１２）が案内溝に係合し、この場合鍵先（２１）が少なくとも１個の磁性体（４４，４５）を備えている、請求項１記載の鎖錠装置のための平鍵（２）において、鍵（２）の幅広側面（１３，１４）に設けた溝（１５，１６）の少なくとも一つが異なる機能範囲を有し、この機能範囲が位置決め範囲（４９）と、予め定めた溝幅を有する予位置決め範囲（５０，５５）と、広がった溝幅を有する少なくとも一つの空き範囲（５１）であり、溝（１５，１６）の始端（５２）から終端（５３）の方向において、各々の空き範囲（５１）の手前に、予位置決め範囲（５０，５５）が配置され、磁性体（４４，４５）が溝（１５，１６）の空き範囲（５１）のそばに、従って鍵先（１３）の広がった溝幅の範囲に設けられていることを特徴とする平鍵。
【請求項７】
磁性体（４４，４５）が永久磁石（４４，４５）によって形成され、残りの全体の鍵（２）の材料が非磁性であることを特徴とする請求項６記載の平鍵。
【発明の詳細な説明】
本発明は、シリンダ錠と平鍵を備え、シリンダ錠がステータ内で回転可能なロータを備え、このロータが鍵通路と、ロータの長手軸線に対して実質的に直角にかつ鍵通路の幅広側面に対して平行に配置された、タンブラを有するガイドとを備え、このタンブラが連行体を備え、この連行体が鍵通路内に達し、平鍵が各々の幅広側面に、少なくとも一つの案内溝を備え、鍵が鍵通路に挿入されたときに、タンブラの連行体が案内溝に係合し、平鍵と少なくとも１個のタンブラが磁気要素を備えている、鎖錠装置に関する。
シリンダ錠と平鍵を備えたこのような鎖錠装置は米国特許第３２６４８５２号明細書またはヨーロッパ特許第０００８３１０号公報によって知られている。その際、錠に差し込まれる可逆平鍵の部分の両幅広側面には、案内溝が設けられている。この案内溝はカーブ状に延び、連行体のためのガイドと位置決め範囲を形成している。この連行体は錠のロックタンブラの一部である。ロックタンブラは錠内のロータのガイドに支承されている。このガイドは錠中心軸線に対してほぼ直角にかつ鍵通路の幅広側面に対して平行に延びている。ロックタンブラはガイド内で自由に移動可能であり、ばねで付勢されていない。錠のロック時にロックタンブラの端部はステータの穴に係合し、それによって錠のロータとステータの間の分離面または剪断面を貫通する。鍵通路内に達するロックタンブラの連行体は、鍵の案内溝と同じ寸法を有する。従って、連行体は両方向に強制案内され、それによって解錠位置において案内溝によってロックタンブラの正確な位置決めが可能である。鍵通路への鍵の差込み時に、連行体は案内溝のカーブ軌道に追従し、タンブラは、鍵を完全に挿入し解錠位置に達するまで、そのガイド内を摺動する。可逆平鍵の場合には、鍵の各々の幅広側面に、２個の案内溝が設けられている。この場合、通常は、各々の幅広側面の一方の溝だけが錠の連行体と協働する。鍵を１８０度だけ回転させて鍵通路に差し込むときには、第２の溝が使用される。この公知の鎖錠装置の場合に使用される鍵は、小型の工作機械によって、正確な寸法に複製可能であり、幅広側面の案内溝も正確に複製することができる。このような工作機械は特殊機械としてサービスセンターに多数普及している。従って、鍵を比較的に簡単に複製することができる。許可されていない人が原本の鍵を手に入れ、この原本の鍵から複製を製作し、そして原本の鍵の所有者が鍵の複製の存在を知らないことがあり得る。そして、大きな力を加えたり、他の手段を用いることなく、この鍵の複製によって鎖錠装置を開放することができる。多数の錠と鍵を備えた鎖錠装置の場合には、原本の鍵の複製によって、必要な精度を有していない副鍵を製作することができる。それによって、錠が損傷し、鎖錠機能が悪化することになり得る。このようにして複製された鍵は所有者には知られていないのでシステムから排除されない。
フランス国特許出願公開第２５７２１１７号公報により、冒頭に述べた種類の鎖錠装置が知られている。この鎖錠装置は少なくとも１個のタンブラを備え、このタンブラの連行体は鍵の溝幅の方向の寸法が、溝の幅よりも狭くなっている。更に、鍵の案内溝は全長にわたって同じ幅を有する。寸法の小さなタンブラを解錠位置にもたらすために、鍵に磁石が設けられ、連行体またはタンブラの一部が磁気的な材料によって形成されている。鍵の磁石の力により、連行体は鍵の案内溝の一方の側面の方へ引っ張られるかまたは押され、それによってタンブラが解錠位置に固定される。複製された鍵によるこのような鎖錠装置の操作は困難であるが、それにもかかわらず、多くの場合可能である。外部から磁力を加えることにより、磁気的な連行体を備えたタンブラはいかなる場合でも正しく位置決め可能であり、錠はロック解除可能である。従って、この鎖錠装置も、高まってきた鍵の複製防止に対する要求や、このような鎖錠装置の安全性に対する要求を満足することができない。
本発明の課題は、米国特許第３２６４８５２号明細書に記載された、ばね付勢されていないロックタンブラのシステムを維持して、解錠位置でのタンブラの位置決めを、鍵の案内溝の形から切り離すことができるようにすることである。更に、複製された鍵によって錠を開放するのに、溝の直接的な同一複製が不十分であるようにすることである。鍵の複製ひいては複製された鍵による鎖錠装置の開放が困難になるようにすべきである。
本発明の課題は、請求項１の特徴部分に記載された特徴によって解決される。本発明の有利な実施形は従属請求項の特徴によって生じる。
本発明による鎖錠装置の場合には、平鍵が鍵通路に完全に挿入されたときに、少なくとも１個のタンブラが案内位置によって解錠位置に保持されない。付加的な位置決め要素が設けられている。この付加的な位置決め要素はこのタンブラを解錠位置に位置決めし、保持する。この付加的な位置決め要素は、ロックタンブラに連結された連行体をもはやいかなる場合でも鍵の案内溝によって強制的に案内しなくてもよいという利点がある。従って、鍵の溝は広がった範囲を有する。この範囲において溝の側壁と連行体の間には中間空間がある。鍵を完全に差し込むと、少なくとも１個の連行体が溝のこの広がった範囲に位置し、従ってロックタンブラはこの範囲において付加的な位置決め要素によって位置決めしなければならない。この場合、連行体は鍵溝の側壁によって案内されない。この位置決め要素がないと、タンブラを解錠位置にもたらすことができない。すなわち、錠を開放できない。これは、鍵が正確に複製された案内溝を備え、錠または鍵が付加的な位置決め要素を備えていないときにも当てはまる。それによって、幅広側面に案内溝を有する複製された鍵の使用が非常に困難になる。付加的な位置決め要素が鍵先に設けられた永久磁石と、タンブラに設けられた磁気要素とからなっていると、対応する磁性体を鍵に模造形成しなければならない。しかし、この模造は普通の複製機械では困難である。他の利点は、付加的な位置決め要素が、タンブラの背面に設けた付加的なコーディング部（符号化部）と、それに関連する二つの部分からなるロック要素とによって形成可能である。この構造はロックタンブラの開放位置を付加的に被覆し、本発明による鍵とシリンダ錠の間の機能を見抜くことを困難にする。磁石連結装置を備えた少なくとも１個の付加的な位置決め要素と、タンブラの背面に設けたコーディング部を備えた少なくとも１個の付加的な位置決め要素を配置する場合、組み合わせが生じ、この組み合わせの場合、付加的な磁力を加えてもあるいは錠をこじ開けるための他の手段を講じても、シリンダ錠は複製された鍵によって解錠不可能である。それによって、本発明による鎖錠装置の安全性が改善される。
次に、添付の図を参照して実施の形態に基づいて本発明を詳しく説明する。
図１は技術水準による錠と、鍵の概略断面図、
図２は付加的な位置決め要素を備えた本発明による錠装置の横断面図、
図３は本発明に従って形成された溝と、嵌め込まれた永久磁石を備えた鍵の側面図である。
図１に示した錠装置は、シリンダ錠１と、平鍵２、図示例では平らな可逆鍵とからなっている。錠装置は米国特許第３２６４８５２号明細書による技術水準にほぼ一致している。このシリンダ錠１は簡略して示され、ステータ４内で回転可能なロータ３と、外周壁としてシリンダ錠１全体を取り囲むスリーブ５を備えている。ロータ３内には、長方形の横断面を有する鍵通路６が加工されている。この鍵通路６には鍵２の鍵先２１が挿入可能である。平らな可逆鍵２の幅広側面１３，１４には、溝の形をした案内軌道１５，１６ががフライス加工されている。この案内軌道はシリンダ錠１内での鎖錠要素の位置決めのために役立つ。鍵２が可逆鍵であるので、見えない幅広側面１４では溝１５が下側にあり、溝１６が上側にある。従って、両幅広側面１３，１４の同一に形成された溝１５または１６が、鍵２の中心軸線５６に関して斜めに対向している。図示例では、ロータ３内において鍵通路６の各々の幅広側面８，９に、５個のタンブラ１０が設けられているので、１０個の鎖錠要素が生じる。このタンブラ１０はロータ３のガイド１１に支承され、錠１の長手軸線７に対して横方向に摺動可能である。ロータ３の後端５４には、図示していない公知の連結要素が設けられている。この連結要素は同様に図示していない鎖錠要素、例えばドア錠と協働する。
図２はシリンダ錠１の横断面、しかも鍵通路６の両側に設けられた２個のガイド１１の範囲の横断面を示している。しかし、この両ガイド１１には、図１の標準タンブラ１０は設けられておらず、本発明に従って変形されたタンブラ１７，１８が設けられている。ステータ４内でのロータ３の図示位置では、ガイド１１はステータ４の穴４２，４３と協働するので、図示したタンブラ１７，１８と場合によっては他のタンブラ１０を軸線５７，５８の方向に摺動させることができる。従って、ロータのこの位置では、鍵２を鍵通路６から引き抜くことができるかあるいは鍵をこの鍵通路に挿入することができる。タンブラ１７，１８または１０に連結された連行体１２，１２′，１２″は鍵２の幅広側面１３，１４の案内溝１５，１６の延長状態に追従する。この場合、タンブラ１７，１８または１０の端部は穴４２，４３の範囲内に延びることができる。鍵が引き抜かれたときには、タンブラ１７，１８または１９の端部はステータ４の穴４２，４３に係合し、ロータ３を回転しないようにロックする。図２に示したタンブラ１７，１８の位置の場合、ロータ３はステータ４内で回転可能である。すなわち、タンブラ１７，１８はその解錠位置にある。というのは、ロータ３とステータ４の間の剪断線を越えて端部が突出しないからである。錠１内に設けた他のタンブラ１０は同様に、その解錠位置にある。図２に示していないこの複数のタンブラ１０の場合、連行体１２が鍵２の両側で案内溝１５，１６によって案内され、案内溝範囲によって位置決めされる。その際、タンブラ１０の連行体１２は、連行体１２′，１２″と異なり、溝１５の側壁２２，２３または溝１６の側壁２４，２５に接触しない。
鍵先２１の幅広側面１３，１４の溝１５，１６はいろいろな機能範囲を備えている。図２に示した鍵先２１の切断範囲において、溝１５，１６の幅が拡大され、いわゆる空き範囲５１を形成している。溝１５，１６の広がったこの空き範囲において、溝１５，１６の幅は連行体１２′または１２″の寸法よりも大きい。溝１５，１６に係合する連行体１２′または１２″と、溝１５の両側壁２２，２３あるいは溝１６の両側壁２４，２５との間には、中間室４７または４８が形成されている。従って、連行体１２′，１２″はこの広がった溝１５，１６の空き範囲において、溝によって案内されないで、タンブラ１７，１８を解錠位置に固定するために付加的な位置決め要素２６，２７が必要である。
付加的な位置決め要素を形成する第１の例が、タンブラ１８に基づいて図２の右側に示してある。連行体１２′のそばにおいてタンブラ１８には、磁気要素４６が設けられている。この磁気要素は鍵先２１に組み込まれた永久磁石４４と協働する。図示例では、磁石４４，４６の中心軸線が同じ平面内に位置するまで、鍵先２１上の永久磁石４４はタンブラ１８内の磁気要素４６を上方へ引っ張る。永久磁石４４と磁気要素４６は次のように協働する。すなわち、連行体１２″が案内溝１５の側壁２２，２３に接触することなく、永久磁石４４が磁気要素４６を介してタンブラ１８を予め定めた位置に保持するように協働する。そのために、案内溝１５には予位置決め範囲が設けられている。この予位置決め範囲は、鍵２を鍵通路６に挿入する際に、タンブラを解錠位置にもたらし、そして溝１５の次の空き範囲５１に移行する際に永久磁石がこの解錠位置にタンブラ１８を保持および固定する。この位置で、タンブラ１８は解錠位置に正確に固定される。鍵先２１に永久磁石４４が設けられていないと、タンブラ１８は、連行体１２″が溝１５の側壁２２に接触するまで下方へ落下する。この位置で、タンブラ１８の下端は穴４３に係合し、ロータ３は回転しないようにステータ４内でロックされる。この実施態様の場合、鍵先２１上に永久磁石４４が正しく位置決めされていないときにも、タンブラ１８はステータ４に対してロータ３をロックする。
付加的な第２の位置決め要素を形成する例が、図２の左側半部においてタンブラ１７上に示してある。錠１の本発明による実施形の場合には、第１の位置決め要素２７に補足して、タンブラ１７とステータ４の間に、ロック要素２９を備えた付加的な第２の位置決め要素２６が設けられている。このロック要素は二分割され、ステータ４の穴３４に支承された第１の部分３０と、ロータ３の穴３５に支承された第２の部分３１とからなっている。錠１の図示した開放位置または鍵２を引抜き可能なステータ４内のロータ３の位置では、両穴３４，３５の中心軸線３２が一致している。この位置では、両穴３４，３５は共通の１つの案内穴を形成している。この案内穴内で、ロック要素３０，３１がステータ４とロータ３の間で往復摺動可能である。第１のロック要素部分３０はコップ状に形成され、圧縮ばね６０によってタンブラ１７の方へ押されている。第２のロック要素部分３１は肩を備えている。この肩は段付き穴３５の段差部と協働する。両ロック要素部分３０，３１の間には、分離面３３が形成されている。この分離面に沿って、両部分３０，３１が互いに摺動可能である。錠１の長手軸線７の方に向いた第２のロック要素部分３１の段差付き端部３６は、タンブラ１７の背面１９に接触している。その際、鍵通路６と反対のタンブラ１７の側を、タンブラ１７の背面１９と呼ぶ。この背面１９は位置決め面３７を備えている。この位置決め面には、凹部３９と頂部３８の形をしたコーディング部２８が設けられている。端部３６は凹部３９の側面形状に対応して形成され、図示例では尖っている。タンブラ１７がその長手軸線５７の方へあるいは鍵通路６の幅広側面８，９に対して平行に摺動すると、第２のロック要素部分３１の端部３６はその都度凹部３９に係合するかあるいは頂部３８の間に係合する。その際、タンブラ１７の位置決め面３７の最も外側の頂部３８のそばの凹部は、錠１からの鍵２の引抜きの後でタンブラ１７をロック位置に保持する。このロック位置では、タンブラ１７の一端はステータ４の穴４２に係合する。図２に示したタンブラ１７は開放位置が示してある。すなわち、このタンブラは両端部がステータ４の穴４２に係合していない。タンブラ１７はこの位置で穴４１または凹部３９を介して第２のロック要素３１によって保持される。両ロック要素部分３０，３１の間の分離面３３はロータ３とステータ４の間の剪断線４０上にある。他のタンブラ１０，１８がステータ４の穴４２，４３に係合しないと、ロータ３は回転可能である。タンブラ１７の図示した解錠位置では、連行体１２′は同様に、溝１６の幅が広がっている空き範囲５１内にある。タンブラ１７は溝１６の空き範囲５１の直前に設けた予位置決め範囲によって図示し解錠位置にもたらされ、ロック要素２９を備えた付加的な位置決め要素２６によってこの位置に保持される。それによって、解錠位置にタンブラ１７を固定するために、永久磁石が不要であり、この固定は付加的な第２の位置決め要素２６によってタンブラ１７の背面１９で行われる。付加的な位置決め要素２６のこの配置は特に、図２の右側に示すような磁気位置決めする位置決め要素２７に追加して行われる。それによって、錠がどのようにコード化されているかあるいはどのタンブラが付加的な磁気位置決めによって解錠位置に保持されるかが、鍵に基づいて見抜くことがきわめて困難である。これは鍵２の溝１５，１６の広がった空き範囲５１で見抜くことはできない。なぜなら、鍵２を完全に差し込んだときに、タンブラ１７の連行体１２′もこの空き範囲に係合し得るからである。このタンブラは図２の左側に示すように、付加的な位置決め要素２６を備えることができる。
図３は本発明に従って形成された平鍵２の鍵先２１を示している。この平鍵が可逆平鍵であるので、鍵２の見えない幅広側面１４の下側に案内溝１５があり、上側に案内溝１６がある。従って、両案内溝１５，１６の詳細は見える幅広側面１３に基づいて説明する。というのは、案内溝は前側と後側の幅広側面１３または１４で全く同一に形成されているからである。案内溝１５，１６は鍵２の尖端６１の始端５２からその終端５３まで、いろいろな機能範囲を有している。図示連結は位置決め範囲４９、予位置決め範囲５０，５５および空き範囲５１，５９である。位置決め範囲４９と予位置決め範囲５０の場合、溝１５，１６の幅はこの溝１５，１６に係合する連行体１２，１２′，１２″の寸法に一致している。空き範囲５１，５９の場合には、溝１５，１６の幅は広がっている。すなわち、溝の幅は連行体１２，１２′，１２″の寸法よりも大きい。溝１６の空き範囲５１の場合には、連行体１２′は一点鎖線で示してあり、この空き範囲５１では連行体１２′は側壁２４にも側壁２５にも接触しない。連行体１２′と少なくとも一方の側壁２４，２５の間には中間空間がある。案内溝１５，１６の始端５２から見て、案内溝１６の広がった空き範囲５１または溝１５の広がった空き範囲５９の手前に、予位置決め範囲５０または５５が配置されている。この予位置決め範囲５０または５５において連行体１２，１２′，１２″が解錠位置にもたらされ、そして図２に関連して説明した付加的な位置決め要素２６または２７によって固定される。図３に示した鍵では、２個の永久磁石４４，４５が案内溝１５，１６の間に配置されている。この場合、後側の永久磁石４４だけが磁気要素４６を備えたタンブラ１８を位置決めする。その際、タンブラ１８は鍵２の幅広側面１４に対して平行である。永久磁石４４，４５が被覆されていると有利であり、それによって鍵先２１内での永久磁石の位置は見えない。鍵２の材料は公知のごとく、非磁性である。この場合、硬質真鍮が使用される。本発明による鍵は、この種の鍵の今まで用いられてきた溝形状と異なる溝１５，１６の特有の形状を有する。磁石４４，４５が見えるように配置されると、付加的な識別特徴が生じる。しかし、溝１５，１６を正確に複製しても、付加的な位置決め要素２６，２７を備えた本発明による錠２の開放を可能にする鍵２が得られない。それによって、この種の鍵の無断複製が非常に困難になる。なぜなら、磁石を付加的に、正しい場所に正しく配置しなければならないからである。これは今日入手可能な工作機械では不可能であり、非常に多くの追加コストを必要とする。それによって、鎖錠装置の安全性が高まる。というのは、許可なく複製するためには、多大のコストが必要であるからである。同時に、本発明による種類の錠／鍵装置は改良されたタンブラ１７を備えることができる。このタンブラは背面１９に付加的なコーディング部２８を備えている。これは錠と鍵の付加的な鎖錠を可能にし、複製を一層困難にする。
【図１】
0003785466.tif 000002
【図２】
0003785466.tif 000003
【図３】
0003785466.tif 000004